(57)【特許請求の範囲】
【請求項１】
セラミック成形部材と、該セラミック成形部材の内面上に、前記セラミック成形部材の全長に亙って接着固定されており、引張り強さが１００Ｎ／ｃｍ2以上の引張り強さを有し、且つ５０％以上の伸びを有するプラスチック部材と、前記セラミック成形部材の裏面上に、前記セラミック成形部材の全長に亙って、前記セラミック成形部材の裏面に関し固定され、両端部に固定用のねじ部を備えて両端部が固定可能である芯材とを備えることを特徴とするセラミック外装材料。
【請求項２】
中空筒形セラミック成形部材と、該セラミック成形部材の中空部の内面上に、前記セラミック成形部材の全長に亙って接着固定されており、引張り強さが１００Ｎ／ｃｍ2以上の引張り強さを有し、且つ５０％以上の伸びを有するプラスチック部材と、前記中空筒形セラミック成形部材の中空部内面に関し固定され、両端部に固定用のねじ部を備えて両端部が固定可能である金属芯部材を備えることを特徴とする中空筒形のセラミック外装材料。
【請求項３】
中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材を備えているプラスチック層を有する中空筒形のセラミック成形部材と、前記プラスチック層を有する中空円筒型のセラミック成形部材の中空部分に挿通されている両端部に固定用のねじ部を備える芯材と、前記セラミック成形部材の中空部分の両端部に固定されている芯材固定ブロック部材とを備えていることを特徴とする中空筒形のセラミック外装材料。
【請求項４】
中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材を備えているプラスチック層を有する中空筒形のセラミック成形部材と、前記プラスチック層を有する中空筒形のセラミック成形部材の中空部分の一方の端部に固定されている第一の芯材固定ブロック部材と、前記セラミック成形部材の中空部分の他方の端部に固定されている第二の芯材固定ブロック部材と、前記第一の芯材固定ブロック部材に一端が固定され、他端にネジ部分が形成されて、前記中空部分内に、その一方の側から挿通されている第一の芯材と、前記第二の芯材固定ブロック部材に一端が固定され、他端にネジ部分が形成されて、前記中空部分内に、その他方の側から挿通されている第二の芯材と、第一の芯材のネジ部分が一方の側に螺着され、他方の側に第二の芯材のネジ部分が螺着されている引き締めネジ部材とを備えていることを特徴とする中空筒形のセラミック外装材料。
【請求項５】
中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材とを備えているプラスチック層を有する中空筒形のセラミック成形部材と、両端部にネジ部分を有する前記セラミック成形部材の中空部分に挿通されている芯材と、前記プラスチック層を有する中空筒形のセラミック成形部材の一方の側の端部の中空部分に嵌入される嵌入部を有し、芯材の端部固定止めネジ部材が外側から内側に挿通されている貫通孔を有している第一のインナーブロック部材と、前記プラスチック層を有する中空円筒型のセラミック成形部材の他方の側の端部の中空部分に嵌入される嵌入部を有し、芯材の端部固定止めネジ部材が外側から内側に挿通されている貫通孔を有している第二のインナーブロック部材と、前記第一のインナーブロック部材の内側端部から突き出た止めネジ部材のネジ部分に一端部において螺着し、他端部において前記芯材の一方の側のネジ部分に螺着する第一の引き締めネジ部材と、前記第二のインナーブロック部材の内側端部から突き出た止めネジ部材のネジ部分に一端部において螺着し、他端部において前記芯材の他方の側のネジ部分に螺着する第二の引き締めネジ部材とを備えていることを特徴とする中空筒形の外装材料。
【請求項６】
中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材を備えているプラスチック層を有する中空筒形の壁面仕上げ用セラミックタイル材と、両端部にネジ部分を有して、前記セラミックタイル材の中空部分に挿通されている金属棒部材と、前記セラミックタイル材の一方の側の端部の中空部分に嵌入される嵌入部を有し、止めネジ部材が長手方向外側から内側に挿通されている止めネジ用の貫通孔を有し、さらに長手方向に交差する方向に形成されているネジ孔を有している第一のインナーブロック部材と、前記セラミックタイル材の一方の側の端部の中空部分に嵌入される嵌入部を有し、止めネジ部材が外側から内側に挿通されている貫通孔を有し、さらに長手方向に交差する方向に形成されているネジ孔を有している第二のインナーブロック部材と、前記第一のインナーブロック部材の内側端部から突き出た止めネジ部材のネジ部分に一端部において螺着し、他端部において金属棒部材の一方の側のネジ部分に螺着する第一の引き締めネジ部材と、前記第二のインナーブロック部材の内側端部から突き出た止めネジ部材のネジ部分に一端部において螺着し、他端部において金属棒部材の他方の側のネジ部分に螺着する第二の引き締めネジ部材と、第一のインナーブロック部材のネジ孔部が載置されており、該ネジ孔部に取付けネジを螺着して、第一のインナーブロック部材が固定され、躯体に取付け可能の取り付け部が形成されている第一支持部材と、第二のインナーブロック部材のネジ孔部が載置されており、該ネジ孔部に取付けネジを螺着して、第二のインナーブロック部材が固定され、躯体に取付け可能の取り付け部が形成されている第二支持部材とを備えていることを特徴とする中空筒形の外装材料。
【請求項７】
中空筒形セラミック成形部材は、その少なくとも一方の端部において、中空筒形端壁部の一部が切り欠かれて形成され、該一部が切り欠かれた中空筒形端壁部の内面上に、引張り強さが１００Ｎ／ｃｍ2以上の引張り強さを有し、且つ５０％以上の伸びを有するプラスチック部材が接着固定されていることを特徴とする請求項２乃至６の何れか一項に記載の中空筒形の外装材料。
【発明の詳細な説明】
【０００１】
【発明の属する技術分野】
本発明は、本発明は、飛散防止及び落下防止機能を有するセラミックパネルに関し、特に、外力により、飛散し、落下することがないセラミックパネルに関する。さらに、本発明は、飛散防止及び落下防止機能を有する外装材料に関し、特に、全長に亙って金属芯材が張られ、比較的大きな引張り強さ及び伸びを有するプラスチック材料が内設された、飛散防止及び落下防止機能を有する外壁パネルに関する。さらに、本発明は、飛散防止及び落下防止機能を有する建築物の外装部材に関し、特に、全長に亙って金属芯材が張られ、比較的大きな引張り強さ及び伸びを有するプラスチック材料が内設された、飛散防止及び落下防止機能を有する、外壁パネル等の建築物の外装部材に関する。
【０００２】
【従来の技術】
建物の外装材料は、建物の外壁が、雨、風、雪、太陽光など、気候の変動に伴って、種々の作用を受けるので、耐候性及び劣化抵抗性が要求される。しかも、建物の外壁は、建物の印象を左右する一つであり、その選択には、仕上げ材料の中でも、特に注意が払われている。耐水性、耐熱性、耐摩耗性及び耐食性などの点で優れ、色調や生地が豊富であって、意匠の新鮮さなどが容易に得られる点から、外装材料として、セラミックタイルが多用されている。
【０００３】
【発明が解決しようとする課題】
しかし、セラミックタイルは、ひび割れや剥離を起こす場合があり、建物の高層化に伴い、このようなセラミックタイル外装材料の剥離による落下は、人命に危険であり問題とされている。そこでセラミックタイルの両端部を支持金物で固定することにより、セラミックタイル外装材料の剥離による落下防止が提案されている。しかし、このようなセラミックタイルを支持金物で固定しても、セラミックタイル外装材料の破壊による、破片の飛散及び落下は防止することができず、依然、問題とされている。
本発明は、このような外装材料としてのセラミックタイルの落下防止技術により解決されない問題点を解決することを目的としている。
【０００４】
【課題を解決するための手段】
本発明は、衝撃によりセラミック部分が破壊されても、セラミック部材の破片が飛散し、落下することのない建物の外装部材を提供することを目的としている。
本発明は、セラミック成形部材と、該セラミック成形部材の内面上に、前記セラミック成形部材の全長に亙って接着固定されており、引張り強さが１００Ｎ／ｃｍ2以上の引張り強さを有し、且つ５０％以上の伸びを有するプラスチック部材と、前記セラミック成形部材の裏面上に、前記セラミック成形部材の全長に亙って、前記セラミック成形部材の裏面に関し固定され、両端部に固定用のねじ部を備えて両端部が固定可能である芯材とを備えることを特徴とするセラミック外装材料にあり、また、本発明は、中空筒形セラミック成形部材と、該セラミック成形部材の中空部の内面上に、前記セラミック成形部材の全長に亙って接着固定されており、引張り強さが１００Ｎ／ｃｍ2以上の引張り強さを有し、且つ５０％以上の伸びを有するプラスチック部材と、前記中空筒形セラミック成形部材の中空部内面に関し固定され、両端部に固定用のねじ部を備えて両端部が固定可能である金属芯部材を備えることを特徴とする中空筒形のセラミック外装材料にあり、さらに、本発明は、中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材を備えているプラスチック層を有する中空筒形のセラミック成形部材と、前記プラスチック層を有する中空円筒型のセラミック成形部材の中空部分に挿通されている両端部に固定用のねじ部を備える芯材と、前記セラミック成形部材の中空部分の両端部に固定されている芯材固定ブロック部材とを備えていることを特徴とする中空筒形のセラミック外装材料にある。
【０００５】
また、本発明は、中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材を備えているプラスチック層を有する中空筒形のセラミック成形部材と、前記プラスチック層を有する中空筒形のセラミック成形部材の中空部分の一方の端部に固定されている第一の芯材固定ブロック部材と、前記セラミック成形部材の中空部分の他方の端部に固定されている第二の芯材固定ブロック部材と、前記第一の芯材固定ブロック部材に一端が固定され、他端にネジ部分が形成されて、前記中空部分内に、その一方の側から挿通されている第一の芯材と、前記第二の芯材固定ブロック部材に一端が固定され、他端にネジ部分が形成されて、前記中空部分内に、その他方の側から挿通されている第二の芯材と、第一の芯材のネジ部分が一方の側に螺着され、他方の側に第二の芯材のネジ部分が螺着されている引き締めネジ部材とを備えていることを特徴とする中空筒形のセラミック外装材料にあり、さらに、本発明は、
中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材とを備えているプラスチック層を有する中空筒形のセラミック成形部材と、両端部にネジ部分を有する前記セラミック成形部材の中空部分に挿通されている芯材と、前記プラスチック層を有する中空筒形のセラミック成形部材の一方の側の端部の中空部分に嵌入される嵌入部を有し、芯材の端部固定止めネジ部材が外側から内側に挿通されている貫通孔を有している第一のインナーブロック部材と、前記プラスチック層を有する中空円筒型のセラミック成形部材の他方の側の端部の中空部分に嵌入される嵌入部を有し、芯材の端部固定止めネジ部材が外側から内側に挿通されている貫通孔を有している第二のインナーブロック部材と、前記第一のインナーブロック部材の内側端部から突き出た止めネジ部材のネジ部分に一端部において螺着し、他端部において前記芯材の一方の側のネジ部分に螺着する第一の引き締めネジ部材と、前記第二のインナーブロック部材の内側端部から突き出た止めネジ部材のネジ部分に一端部において螺着し、他端部において前記芯材の他方の側のネジ部分に螺着する第二の引き締めネジ部材とを備えていることを特徴とする中空筒形の外装材料にあり、さらにまた、本発明は、中空筒形セラミック成形部材、及び該セラミック成形部材の中空部の内面面上に、引張り強さが１００Ｎ／ｃｍ2以上の引張り強さを有し、且つ５０％以上の伸びを有して、前記セラミック成形部材の全長に亙って接着固定されているプラスチック部材を備えているプラスチック層を有する中空筒形の壁面仕上げ用セラミックタイル材と、両端部にネジ部分を有して、前記セラミックタイル材の中空部分に挿通されている金属棒部材と、前記セラミックタイル材の一方の側の端部の中空部分に嵌入される嵌入部を有し、止めネジ部材が長手方向外側から内側に挿通されている止めネジ用の貫通孔を有し、さらに長手方向に交差する方向に形成されているネジ孔を有している第一のインナーブロック部材と、前記セラミックタイル材の一方の側の端部の中空部分に嵌入される嵌入部を有し、止めネジ部材が外側から内側に挿通されている貫通孔を有し、さらに長手方向に交差する方向に形成されているネジ孔を有している第二のインナーブロック部材と、前記第一のインナーブロック部材の内側端部から突き出た止めネジ部材のネジ部分に一端部において螺着し、他端部において金属棒部材の一方の側のネジ部分に螺着する第一の引き締めネジ部材と、前記第二のインナーブロック部材の内側端部から突き出た止めネジ部材のネジ部分に一端部において螺着し、他端部において金属棒部材の他方の側のネジ部分に螺着する第二の引き締めネジ部材と、第一のインナーブロック部材のネジ孔部が載置されており、該ネジ孔部に取付けネジを螺着して、第一のインナーブロック部材が固定され、躯体に取付け可能の取り付け部が形成されている第一支持部材と、第二のインナーブロック部材のネジ孔部が載置されており、該ネジ孔部に取付けネジを螺着して、第二のインナーブロック部���が固定され、躯体に取付け可能の取り付け部が形成されている第二支持部材とを備えていることを特徴とする中空筒形の外装材料にある。
【０００６】
【発明の実施の形態】
本発明において、外装材料は、セラミック成形部材を有している。本発明において、セラミック成形部材としては、セメント成形部材、コンクリート成形部材、ＡＬＣ（Autoclaved Lightweight Concrete）成形部材、フレキシブルボード、モルタル成形部材、スレート、石膏成形部材、レンガ又はガラス成形部材などの無機質固体材料製の成形部材又は窯業材料製の成形部材がある。
本発明において、セラミック成形部材は、特に、一般の外装材料としてのセラミック製品であって、例えばセラミックタイルとすることができ、この場合は、例えば磁器製のもの、せっ器製のもの又は陶器製のものなどがある。これらは一般に、湿式押出し成形、乾式プレス成形、鋳込み成形、型成形又はその他成形方法により成形され、施釉又は無施釉で、８００乃至１３００℃の焼成温度で焼成することにより製造され、吸水率は、磁器質のもので、１．０％以下であり、せっ器質のもので、５．０％以下であり、陶器質のもので２２．０％以下である。例えばＮＢＫ社製のセラミックタイルは、せっ器質であり、湿式押出し成形又は型成形により形成され、施釉又は無施釉で、１２００℃程度の焼成温度で焼成され、吸水率は概略２乃至６％である。
【０００７】
本発明において、セラミック材料製の成形部材は、裏面が平らな平板及び裏面に凹条又は凹凸を有する平板に形成することができ、また、断面ロの字形の中空体に形成することができる。何れの場合においても、その破壊時に、破片の飛散防止を図るために、ＪＩＳ  Ｋ  ６３０１、２号ダンベルによる引張り強さが１００Ｎ／ｃｍ2以上であり、ＪＩＳ  Ｋ  ６３０１、２号ダンベルによる破断時の伸びが５０％以上のプラスチック材料が、セラミック成形部材の裏面又は中空部内面に、全長に亙って接着固定されている。本発明において、このようなセラミック成形部材の飛散防止及び落下防止に使用されるプラスチック材料としては、変成シリコーン樹脂、ポリウレタン樹脂、ポリサルファイド樹脂、シリコーン樹脂若しくはエポキシ樹脂又はこれら二以上の混合物などがある。これらのプラスチック材料は、接着性を有する樹脂組成物として、板状セラミック成形部材の裏面又は中空部セラミック成形部材の中空部内面に、塗布等の手段により付着させることにより設けることができる。これらの場合において、さらに、接着性又は強度を増すなどの必要に応じて、プライマー処理を施すことが好ましい。
【０００８】
本発明においては、板状セラミックタイルの裏面又は中空状のセラミック成形部材の中空部内面にプラスチック材料を固着することにより、例えば外力によりセラミック成形部材が破壊されても、その破片は、プラスチック材料に固着されて飛散することに至らない。また、本発明において、プラスチック層を有する平板状及び中空状のセラミック成形部材(以下、セラミツク複合成形部材という)には、その平板状成形部材の裏面又は中空状成形部材の中空部内面に関して、金属芯部材が固定されているので、破壊された破片の殆ど全てがプラスチック材料に固着されて、金属芯部材に保持されることとなり、破片の飛散及び落下が防止される。本発明において、芯材は、ステンレス鋼又は耐候性鋼等の金属若しくは合金又はこれらと同等の耐食性、耐候性及び強度を有する材料の線材及び棒材を使用することができる。このような、金属若しくは合金又はこれらと同等の強度を有する材料としては、ガラス繊維、炭素繊維、アラミド繊維で強化したプラスチック材料がある。
【０００９】
本発明において、芯材は、セラミック複合成形部材の中空部の全長に亙って挿通される。挿通される芯材は、一本の芯材を、該複合セラミック成形部材の端から端までを挿通させてもよい。しかし、二本の芯材を複合セラミック成形部材の両端部から挿通して、対向する端部を継ぎ手により接続させてもよい。この場合、二本の芯材は、夫々、その一端部にネジ部分を形成して、双方のネジ部分を、引き締めネジ部材の対応する端部に螺着して、長さを調整して固定するのが好ましい。本発明においては、例えば、一方の芯材のネジ部を右ネジに形成し他方のネジ部を左ネジに形成して、ターンバクルに螺着すると、ナットを回転することにより、各芯材を伸長させて接続できるので好ましい。このような引き締め部材は、ステンレス鋼又は耐候性鋼等の耐食性及び耐候性の金属若しくは合金又はこれらと同等の耐食性、耐候性及び強度を有する材料で形成することができる。また一本の芯材の両端部に夫々ネジ部を形成し、セラミック複合成形部材の中空部に挿通して、双方のネジ部を別個の引き締めネジ部材の端部に螺着すると共に、引き締めネジ部材の外側に位置するネジ部に固定ネジ部材のネジ部を螺着して、複合セラミック成形部材の中空部に芯材を通すことができる。
【００１０】
本発明において、インナーブロック部材等の芯材固定ブロツク部材を前記複合セラミック成形部材の端部に夫々取り付けて、芯材の端部を前記セラミック複合成形部材の端部に固定して、芯材をセラミック成形部材に関して固定するすることができる。このような芯材固定ブロック部材をセラミック複合成形部材に固定するために、該芯材固定ブロツク部材に、セラミック成形部材の中空部に嵌入可能の取り付け部を形成するのが好ましい。芯材固定ブロック部材は、この嵌入可能の取り付け部をセラミック複合成形部材の中空部内のプラスチックライニング内側に嵌入させることにより、セラミック複合成形部材に確りと保持されることとなるので好ましい。この場合、セラミック複合成形部材の端部は、芯材固定ブロツク部材を躯体又は構造部材に固定するために、壁の一部を切り欠いた構造に形成するのが好ましい。芯材固定ブロック部材を躯体又は構造部材に固定するために、建物の躯体若しくは構造部材には、セラミック成形部材の取付け用の取付け部材が設けられる。このような、セラミック成形部材の取付け用の取付け部材は、ステンレス鋼等の耐食性及び耐候性を有する構造材料用の金属又は合金製又はこれらと同等の性質及び強度を有する材料で形成され、躯体若しくは構造部材への取り付け部及び芯材固定ブロック部材への取り付け部を有する。本発明において、芯材は、セラミツク複合成形部材、プラスチック層の外側に設け、芯材固定ブロック部材等により、セラミック複合部材に関し、固定することができるが、該セラミック複合成形部材の一部のプラスチツク層内に埋設等により固定し、さらに芯材固定ブロック部材により、セラミック複合部材に確りと固定することができる。
【００１１】
本発明において、両端部にネジ部分を形成した芯部材を使用することができる。この場合は、芯材の夫々のネジ部分を、固定ネジ部材が一端に螺着している夫々別個の引き締めネジ部材の他端に螺着して、芯材固定ブロック部材間に取り付けられる。芯材が取り付けられた芯材固定部材を、セラミック複合成形部材に固定することにより、芯材は、セラミック複合成形部材に関して固定される。芯材が取り付けられたセラミック外装部材は、建物の躯体若しくは構造部材に設けられている取付け部材にネジ等により固定される。
【００１２】
本発明において、セラミック外装部材は、中空筒形セラミック成形部材と、該セラミック成形部材の中空部の内面上に、前記セラミック成形部材の全長に亙って接着固定されており、引張り強さが１００Ｎ／ｃｍ2以上の引張り強さを有し、且つ５０％以上の伸びを有するプラスチック部材と、前記中空筒形セラミック成形部材の中空部内面に関し固定されている金属芯部材を備えるので、セラミック成形部材は、芯材と共に躯体若しくは構造部材に取付けられることとなり、例えば外力によりセラミック成形部材が破壊されても、その破片は、プラスチック材料に固着されて飛散することに至らず、また、破壊された破片の殆ど全てがプラスチック材料に固着された状態で、芯部材に保持されることとなり、セラミック成形部材の破片が飛散し及び落下するのを防止する。
【００１３】
本発明において、外装材料は、例えば、カーテンウォールの外壁パネルに取り付けることができる。又は、建物の躯体若しくは構造部材に直接取り付けて、例えば窓部の遮光ルーバとして使用することができる。
【００１４】
【実施例】
以下に、図により本発明の一実施例を説明するが、本発明は、以下の実施例及び説明により、何ら限定されるものではない。
図１は、本発明の一実施例の外装部材についての使用態様の概略を示す概念図である。図２は、図１に示す外装部材の接続関係の概略を示す分解図である。図３は、図１及び図２に示す本発明の外装部材の使用態様における外装部材の構造の概略を一部切り欠いて示す概略の側部断面図である。図４は、図１乃至図３に示す外装部材の使用態様における外装部材の構造の概略を一部切り欠いて示す概略の部分正面断面図である。図５は図１乃至図４に示された本発明の外装部材の組立て関係を示す分解図である。図６は、図１乃至図５に示す本発明の実施例の外装部材とは異なる本発明の他の一実施例の外装部材についての使用態様における概略の分解組立図である。図７は、図６に示す外装部材の使用態様における外装部材の概略の組み立て関係を示す組立て図である。図８は、図６及び図７に示す本発明の一実施例の外装部材についての使用態様における接続部を片側の一部を破断して示す概略の部分平面断面図である。図９は、図１乃至図８の実施例の外装部とは異なる、本発明の他の一実施例の外装部材についての概略の構造を示す概略の正面断面図である。図１乃至図９において、対応する部分には同一符号が付されている。
【００１５】
図１乃至図５に示す実施例は、外装部材のセラミック組立てブロック部材１が建築物の外壁部の窓部の遮光部材、例えばルーバーとして使用される事例である。セラミック組立てブロック部材１は支持材２に取り付けられており、この支持材２は、Ｉ型鋼やＨ型鋼の構造部材３に取り付けられる。本例においては、図２に示すように、支持材２は、接合板部４と、該接合板部４の接合板背面５から垂直方向に延びる垂直板部６、及び該垂直板部６の板面７から水平方向に張出して嵌合凸部８が形成されている。
【００１６】
本例において、嵌合凸部８は、セラミック組立てブロック部材１の端部下方に、前記嵌合凸部８が嵌入可能に形成されている嵌合凹部９が形成されている、接合板部４にはネジ孔１０が形成されており、このネジ孔１０を、構造部材又は躯体の取り付け部のネジ孔（図示されていない）に合わせて、ネジ止めされる。嵌合凸部８にはネジ孔１１が形成されており、嵌合凸部８を嵌合凹部９内に嵌合させて、該嵌合凸部８のネジ孔１１をセラミック組立てブロック部材１の嵌合凹部９の下方に向くのネジ孔に合わせて、ネジ部材１２をネジ孔１１及びセラミック組立てブロック部材１の下部ネジ孔に螺合させて、セラミック組立てブロック部材１を支持材２に固定する。
【００１７】
図３乃至図５に、セラミック組立てブロック部材１と支持材２の接続構造及び組立て関係を示している。本例において、セラミック組立てブロック部材１は、例えば、高温焼成されたテラコッタ等のセラミック材料製の断面が四角形状の中空筒状に成形されたセラミック成形部材１３の中空部分内側に、セラミックタイルの破断時に、セラミックタイルの破片が、飛散しないように、セラミックタイルを繋ぎ止めるように、セラミックタイルに被着して、プラスチック材料ライニング層１４が形成されている。本例において使用されたプラスチック材料は、変成シリコーン樹脂組成物であった。本例で使用された変成シリコーン樹脂組成物は、塗布時にセラミックタイルに対して接着性を有しており、その性質は、被着後の引張り強さが１２０Ｎ／ｃｍ2であり、破断時の伸びが５００％であった。
【００１８】
本例において、プラスチックライニング層１４が形成された中空筒状ライニングセラミックタイル部材１５の中空部内側にステンレス鋼製の芯材１６が挿通されている。本例において、ステンレス鋼製の芯材１６の両端部には、左ネジのネジ部分１７が形成されており、この左ネジ部分１７は、引き締めネジ部材１８に螺合している。引き締めネジ部材、即ちターンバクル１８には、一方でステンレス鋼材製の芯材１６の左ネジのネジ部分１７が螺合し、他方で止めネジ部材１９の右ネジのネジ部分２０が螺合している。引き締めネジ部材１８は、ステンレス鋼製の芯材が螺合する側は左ネジの雌ネジ部２１に形成され、止めネジ１９が螺合する側は右ネジの雌ネジ部２２に形成されている。
【００１９】
本例において、止めネジ部材１９は、中空筒状ライニングセラミックタイル部材１５の開口端部２３側でインナーブロック２４に螺合している。インナーブロック２４の下部には、ネジ孔２５が形成されており、嵌合凹部９内に挿通された嵌合凸部８のネジ孔１１を前記ネジ孔２５と合わせて、ネジ部材１２を双方のネジ孔１１及び２５に螺着して、インナーブロック２４をプラスチックライニング層１４を有する中空筒状のライニングセラミックタイル部材１５内に固定することができる。
【００２０】
本例においては、カバープレート２６は、インナーブロック２４とは別に形成されており、インナーブロック２４の上部には、ネジ孔２７が、カバープレート２６の上部ネジ孔２８に整合可能の位置に形成されている。カバープレート２６の下部には、嵌合凹部の開口部２９が形成されている。プラスチックライニング層１４が形成されている中空筒状のライニングセラミックタイル部材１５は、その開口端部２３から内側において、その底壁部分が切り欠かれて、底部切り欠き開口部３０が形成されており、したがって、本例においては、その底部切り欠き開口部の底壁端面３１は、中空筒状のセラミックタイル１３の端面３２から後退した位置に形成されている。インナーブロック２４へのカバープレート２６の取付けは、インナーブロック２４に形成されているネジ孔２７とカバープレート２６のネジ孔２８の位置を合わせて、ネジ３３を螺着して、カバープレート２６とインナーブロック２４を互いに固定することができる。
【００２１】
本例は以上のように構成されているので、セラミック組立てブロック部材１に、ハンマ打撃を加えてその結果を、目視により観察した。このハンマ打撃により、セラミック組立てブロック部材１の中で、テラコッタ製の中空筒状セラミックタイル１３が破壊したが、その破片は総て変成シリコーン樹脂組成物に付着して、芯材１６に保持されており、セラミックタイル１３の破片が飛散し、落下することはなかった。
【００２２】
本例において使用されたプラスチック材料は、変成シリコーン樹脂組成物であるが、この変成シリコーン樹脂組成物に代えて、変成シリコーン樹脂組成物ど同様に、塗布時に接着性を有するプラスチック組成物であり、被着後の引張り強さ１００Ｎ／ｃｍ2以上で、破断時の伸びが５０％以上のプラスチック材料を使用することができる。この変成シリコーン樹脂組成物以外のプラスチック材料としては、被着後の引張り強さ４００Ｎ／ｃｍ2で、破断時の伸びが５００％のウレタン樹脂系組成物、及び被着後の引張り強さ２００Ｎ／ｃｍ2で、破断時の伸びが１００％の変成シリコーン・エポキシ樹脂系組成物がある。
【００２３】
これらプラスチックライニング層が中空部内部に形成されている中空筒状の高温焼成のテラコッタ等のセラミック成形部材３４は、ハンマー打撃を加えて、セラミックタイル部分を破壊しても、その破片が飛散することはなかった。これに対し、プラスチックライニング層を形成しない場合と、被着後の引張り強さ１０００Ｎ／ｃｍ2で、破断時の伸びが５％のエポキシ樹脂系組成物の場合は、ハンマー打撃を加えた後の状況を目視で観察した結果は、セラミックタイルは割れて、その破片は飛散した。本例においては、芯材としてステンレス鋼製のものを使用するが、ステンレス鋼線、ピアノ線等の鋼材製の線材又はステンレス鋼その他鋼材製の棒材などを芯材として使用することができる。
【００２４】
図６乃至図８に示す本発明の実施例は、図１乃至図５に示す本発明の実施例のセラミック組立てブロック部材と構造を異にするものである。
本例におけるセラミック組立てブロック部材１は、遮光用のルーバーとして使用されるものであり、遮光性を発揮するために幅が広く形成され、構造部材３５に、引き締めネジ３６を介して取り付けられている取付け部材３７に、取り付けられている。本例において、取付け部材３７は、構造部材３５に片持ちに取り付けられており、構造部材に対する取付けを安定させるように、吊り棒部材３８１及び３８２により吊られるように支持されている。本例において、セラミック組立てブロック部材１は、テラコッタ等の中空筒状のセラミックタイル１３の中空部内側に変成シリコーン樹脂組成物により形成されているプラスチックライニング層１４を有するライニングセラミックタイル部材３４を備えている。
【００２５】
本例において、ライニングセラミックタイル部材３４には、中空部３９１，３９２、３９３が、夫々長手方向に延びて、幅方向に３列に並設されている。ライニングセラミックタイル部材の３つの中空部には、夫々、芯材４０１，４０２，４０３が挿通されている。本例において、ステンレス鋼製の芯材４０１〜４０３の端部は、ネジ部４１１、４１２、４１３になっている。芯材４０１〜４０３は、各端部のネジ部を支持部材４２の貫通孔４３１，４３２，４３３を通して、夫々ナット４４１，４４２，４４３により支持部材に支持される。本例において、支持部材４２には、ライニングセラミックタイル部材３４に対向する側に３個の嵌合凸部４５１，４５２，４５３が形成されており、これらの嵌合凸部４５１〜４５３は、ライニングセラミックタイル部材３４を、支持部材４２に取付けるときに、互いに対応するライニングセラミックタイル部材３４の中空部３９１，３９２，３９３に差込み嵌合される。
【００２６】
本例において、ライニングセラミックタイル部材３４を支持部材４２に取付けるときには、芯材４０のネジ部４１を支持部材４２の貫通孔４３に挿通させて、ナット４４により固定すると共に、嵌合凸部４５を対応する中空部３９に差込み嵌合させて、確りと固定することができる。このようにライニングセラミックタイル部材３４が支持部材４２に固定されたセラミック組立てブロック部材１を、取付け部材３７に取付けるときは、一方のセラミック組立てブロック部材１に取り付けられている支持部材４２の上部で外側に突き出るカバープレート係合部４６を、取付け部材３７の一方の側のカバープレート載置部４８１に載置して、カバープレート係合部４６のネジ孔４７を取付け部材３７の一方の側のネジ孔４９に位置合わせして、ボルト５０をネジ孔４９に螺着して、取付け部材３７に、セラミック組立てブロック部材１を固定する。取付け部材３７のもう一方の側に、セラミック組立てブロック部材１を取付けるときは、該セラミック組立てブロック部材１の支持部材４２のカバープレート係合部４６をカバープレート載置台部４８１側に載置して、カバープレート部４６のネジ孔４７を取付け部材３７の一方の側のネジ孔４９に位置合わせして、ボルト５０をネジ孔４９に螺着して、取付け部材３７のもう一方の側に、セラミック組立てブロック部材１を固定する。
【００２７】
本例において、取付け部材３７は、構造部材３５に片持ち状態で取り付けられており、取付け部材３７の構造部材への取付けを安定させるために、吊り棒部材３８により支持されている。上側吊り棒部材３８１のネジ部５１１を上側挿通孔５２に挿通して上側ナット５３に螺着して、上側吊り棒部材３８１を取付け部材３７に固定する。下側吊り棒部材３８２のネジ部５１２を下側挿通孔５４に挿通して下側ナット５５に螺着して、下側吊り棒部材３８２を取付け部材３７に固定する。本例において、構造部材３５には、取付け部材３７の取付け用の左ネジ部材５６が設けられており、取付け部材３７の構造部材３５側には、右ネジ部材５７が設けられており、締め付けネジ部材３６の右ネジ側に取付け部材３７のネジ部材５７を螺着し、締め付けネジ部材３６の左ネジ側に構造部材３５のネジ部材５６を螺着して、セラミック組立てブロック部材１を構造部材３５に取付けられる。
【００２８】
本例は以上のように形成されているので、本例においても、セラミック組立てブロック部材１は、ハンマ打撃を加えられて、テラコッタ製の中空筒状セラミックタイル１３の部分が破壊されたが、その破片は総て変成シリコーン樹脂組成物に付着して、芯材３９に保持されており、セラミックタイル１３の破片が飛散し、落下することはなかった。本例においては、芯材としてステンレス鋼製のものを使用するが、ステンレス鋼線、ピアノ線等の鋼材製の線材又はステンレス鋼その他鋼材製の棒材などを芯材として使用することができる。
【００２９】
図９に示す実施例において、セラミック組立てブロック部材５８は、平板状に形成されており、セラミックタイル１３の裏側全体に、変成シリコーン樹脂組成物のライニング層１４が被着形成されている。本例において、セラミックタイル１３には、その裏側の側部両端部及び中央部に下方に突き出る脚部５９１、５９２及び５９３が形成されており、側部両端部の脚部の内側の基部には、ステンレス鋼製の芯材６０１及び６０２が設けられている。本例において、芯材６０１及び６０２は、両端部にネジ部（図示されていない）が形成されており、何れも、セラミックタイル１３の裏面全体に、プラスチックライニング層１４により固着されている。セラミック組立てブロック部材５８の躯体又は構造部材への取付けは、前記図１乃至図５に示す芯材の取付け態様及び前記図６乃至図８に示す芯材の取付け態様に倣って、躯体又は構造部材に固定されている取付け部材（図示されていない）に螺着して、躯体又は構造部材に対して固定される。
【００３０】
本例は以上のように構成されているので、芯材を取付け部材にとりつけることにより、ルーバーとして又は外壁部材として、躯体又は構造部材に取り付けられるが、本例においても、セラミック組立てブロック部材５８には、芯材６０１及び６０２２が設けられ、そして、芯材６０１及び６０２は取付け部材を介して躯体又は構造部材に取り付けられているので、外力により、セラミック組立てブロック部材１に衝撃が加えられて、例えばテラコッタ製の中空筒状セラミックタイル１３の部分が破壊されても、その破片は変成シリコーン樹脂組成物に付着した状態で、芯材３９に保持されることになり、セラミックタイル１３の破片が飛散し、落下することは防止された。
【００３１】
【発明の効果】
本発明においては、セラミック外装部材は、例えば、中空筒形セラミック成形部材と、該セラミック成形部材の中空部の内面上に、前記セラミック成形部材の全長に亙って接着固定されており、引張り強さが１００Ｎ／ｃｍ2以上の引張り強さを有し、且つ５０％以上の伸びを有するプラスチック部材と、前記中空筒形セラミック成形部材の中空部内面に関し固定されている金属芯部材を備えるので、外力による衝撃により、セラミック部分が破壊されても、その破片は、プラスチックライニング層に付着して及び躯体又は構造部材に取付けられている芯材に保持されることとなり、従来のセラミック外装部材のように飛散し落下することが防止される。本発明によると、プラスチックライニング層及び両端部に固定用のネジ部を備えて両端部が固定化である芯材を設けるという簡単な構造上の改良により、従来のセラミック成形部材に比して、外壁部材の剥落、飛散等による落下の危険を未然に防止できる。
【図面の簡単な説明】
【図１】本発明の一実施例の外装部材についての使用態様の概略を示す概念図である。
【図２】図１に示す外装部材の接続関係の概略を示す分解図である。
【図３】図１及び図２に示す本発明の外装部材の使用態様における外装部材の構造の概略を一部切り欠いて示す概略の側部断面図である。
【図４】図１乃至図３に示す外装部材の使用態様における外装部材の構造の概略を一部切り欠いて示す概略の部分正面断面図である。
【図５】図１乃至図４に示された本発明の外装部材の組立て関係を示す分解図である。
【図６】図１乃至図５に示す本発明の実施例の外装部材とは異なる本発明の他の一実施例の外装部材についての使用態様における概略の分解組立図である。
【図７】図６に示す外装部材の使用態様における外装部材の概略の組み立て関係を示す組立て図である。
【図８】図６及び図７に示す本発明の一実施例の外装部材についての使用態様における接続部を片側の一部を破断して示す概略の部分平面断面図である。
【図９】図１乃至図８の実施例の外装部とは異なる、本発明の他の一実施例の外装部材についての概略の構造を示す概略の正面断面図である。
【符号の説明】
１、５８  セラミック組立てブロック部材
２  支持材
３  躯体又は構造部材
４  接合板部
５  接合板背面
６  垂直板部
７  板面
８  嵌合凸部
９  嵌合凹部
１０、１１、２５、２７及び２８  ネジ孔
１２  ネジ部材
１３  セラミックタイル
１４  プラスチック材料ライニング層
１５、３４  中空筒状ライニングセラミックタイル部材
１６、４０１、４０２、４０３、６０１及び６０２  芯材
１７  左ネジ部分
１８、３６  引き締めネジ部材
１９  止めネジ
２０、４１１、４１２及び４１３  ネジ部分
２１  左ネジの雌ネジ部
２２  右ネジの雌ネジ部
２３及び３２  ライニングセラミックタイル部材の開口端部
２４  インナーブロック
２６及び４６  カバープレート
２７  インナーブロック２４に形成されたネジ孔
２８及び４７  カバープレートのネジ孔
２９  嵌合部の開口部
３０  底壁部開口
３１  底壁部端面
３３  ネジ部材
３５  構造部材
３７  取付け部材
３８１  上側吊り棒部材
３８２  下側吊り棒部材
３９１、３９２及び３９３  中空部
４１１、４１２及び４１３  芯材４０１、４０２及び４０３のネジ部
４２  支持部材
４３１、４３２及び４３３  支持部材４２の貫通孔
４４１、４４２及び４４３  ナット
４５１、４５２及び４５３  差込み凸部
４８１及び４８２  カバープレート載置部
４９  取付け部材３７のネジ孔
５０  ボルト
５１１及び５１２  上側吊り棒部材のネジ部
５２  上側挿通孔
５３  上側ナット
５４  下側挿通孔
５５  下側ナット
５６  構造部材３５に設けられている取付け部材の取付け用の右ネジ部材
５７  取付け部材３７の構造部材３５側の右ネジ部材
５９１、５９２及び５９３  脚部
【図１】
0003736737.tif 000002
【図２】
0003736737.tif 000003
【図３】
0003736737.tif 000004
【図４】
0003736737.tif 000005
【図５】
0003736737.tif 000006
【図６】
0003736737.tif 000007
【図７】
0003736737.tif 000008
【図８】
0003736737.tif 000009
【図９】
0003736737.tif 000010